(57)【特許請求の範囲】
【請求項１】
容器の上縁が嵌入し得るリング凹溝を外周下面に有するプラスチック製の容器蓋に於いて、該容器蓋は一軸延伸による方向性プラスチックシートで形成されており、かつ該容器蓋の外周縁の所定位置に引裂舌片が突設されると共に該引裂舌片の両端付根部に該付根部の強度を大きくするために上方に盛上った凸部を形成し、該凸部の一部に押罫が設けられており、さらに前記引裂舌片の両端付根部に設けた凸部の一部に設けた押罫に対応する容器蓋の天井面に一対の押罫線が設けられて構成されていることを特徴としたプラスチック容器蓋。
【請求項２】
一軸延伸による方向性プラスチックシートを真空成形法を用いてプラスチック容器蓋を製造する方法に於いて、前記方向性プラスチックシートを真空成形する際に、容器蓋の天井面に一軸延伸の方向に沿って一対の押罫線を設けると共に該容器蓋のリング凹溝の外周縁に該押罫線と対応して一対の押罫が設けられた凸部を設け、かつ前記方向性プラスチックシートを容器蓋のリング凹溝に沿って打抜く際に前記一対の押罫が設けられた凸部が両端付根部に位置するように引裂舌片を該リング凹溝に沿って突設して構成することを特徴としたプラスチック容器蓋の製造方法。
【発明の詳細な説明】
【０００１】
【発明の属する技術分野】
本発明は容器の開口部に被覆されるプラスチック容器蓋とその製造方法に係り、特に外周縁の所定位置に突設された引裂舌片を持って蓋の一部を簡単に引裂いて開口することが出来るプラスチック容器蓋及びその製造方法に関するものである。
【０００２】
【従来の技術】
従来のこの種のプラスチック容器蓋としては、例えば図３（ａ），（ｂ）及び図４に示す構造のプラスチック容器蓋５１、５２、５３が夫々公知である。即ち、図３（ａ）に示すプラスチック容器蓋５１は、容器蓋５１の外周縁に引裂舌片等の突部が全く設けられていないプラスチック容器蓋５１である。
【０００３】
このプラスチック容器蓋５１は、外周下面に容器（図示せず）の上縁を嵌入することが出来る断面逆Ｕ字形のリング凹溝５４が設けられ、かつ容器蓋５１の天井面５１ａに該リング凹溝５４から中心部に向って一対の押罫線５５が設けられた構造の容器蓋５１である。図中５６は前記一対の押罫線５５の先端側に直交する方向に設けられた押罫線である。
【０００４】
また、図３（ｂ）に示す構造のプラスチック容器蓋５２は、前記プラスチック容器蓋５１と基本的構造は同一であるが、容器蓋５２の外周縁に引裂舌片５７を突設して構成した構造である。このプラスチック容器蓋５２に於いては、前記引裂舌片５７が、天井面５２ａに前述のように設けられた一対の押罫線５５と対応する位置に設けられて形成されている。
【０００５】
さらに、図４に示す構造のプラスチック容器蓋５３は、前記プラスチック容器蓋５２と基本的構造は同一であるが、引裂舌片５７の両端付根部に切込線５８が夫々穿設された構造である。
【０００６】
【発明が解決しようとする課題】
然るに、前記図３（ａ）に示すプラスチック容器蓋５１の場合には、引裂舌片が容器蓋５１の外周縁に突設されていないので、容器蓋５１を開口する際には手掛りが全くなく、極めて不便であり、かつ容器蓋５１の開口に大きな力と工夫を要する等の大きな問題があった。
【０００７】
また、前述の図３（ｂ）に示すプラスチック容器蓋５２の場合には、引裂舌片５７が容器蓋５２の外周縁に突設されているので、この引裂舌片５７を指でつまんで引裂けば良いので手掛りはあるが、しかし、引裂舌片５７をつまんだままで外周縁にあるリング凹溝５４を横断して一対の押罫線５５迄を切断するには、相当の力を有し、子供達には取扱いが不便である問題があった。
【０００８】
さらに、前述の図４に示すプラスチック容器蓋５３の場合には、引裂舌片５７の両端付根部に夫々切込線５８が穿設されているので、容器蓋５３を引裂いて開口することは容易であるが、このプラスチック容器蓋５３の場合には、引裂舌片５７の両端付根部に切込線５８が穿設されているので、このプラスチック容器蓋５３が被覆されている容器を移動したり、搬送する際に、引裂舌片５７が他の品物等に接触した場合には外圧によって容器蓋５３が簡単に引裂開口され、収納商品がこぼれたりする問題があった。
【０００９】
本発明に係るプラスチック容器蓋及びその製造方法は、前述の従来の多くの問題点に鑑み開発された全く新しい技術であって、特に容器蓋の外周縁の所定位置に引裂舌片を突設すると共にその引裂舌片の両端付根部に該付根部の強度を大きくするために上方に盛上った凸部を形成し、該凸部の一部に押罫を設けて構成し、これによって容器蓋の引裂開口を容易にすると共に、容器蓋が移動や搬送時に外圧によって不用意に開口されることを防止し得る全く新しいプラスチック容器蓋の技術と、そのプラスチック容器蓋を簡単かつ安価に大量生産することが出来る製造技術を提供するものである。
【００１０】
【課題を解決するための手段】
本発明に係るプラスチック容器蓋は前述の従来の問題点を根本的に改善した技術であって、その発明の要旨は、容器の上縁が嵌入し得るリング凹溝を外周下面に有するプラスチック製の容器蓋に於いて、該容器蓋は一軸延伸による方向性プラスチックシートで形成されており、かつ該容器蓋の外周縁の所定位置に引裂舌片が突設されると共に該引裂舌片の両端付根部に該付根部の強度を大きくするために上方に盛上った凸部を形成し、該凸部の一部に押罫が設けられており、さらに前記引裂舌片の両端付根部に設けた凸部の一部に設けた押罫に対応する容器蓋の天井面に一対の押罫線が設けられて構成されていることを特徴としたプラスチック容器蓋である。
【００１１】
前述の本発明に係るプラスチック容器蓋に於いては、容器蓋を一軸延伸による方向性プラスチックシートで形成し、かつ該容器蓋の天井面に周辺側から中心部に向って一軸延伸方向に沿って一対の押罫線を設け、かつこれ等の押罫線に対応する容器蓋の外周縁に引裂舌片を突設し、さらにこの引裂舌片の両端付根部に該付根部の強度を大きくするために上方に盛上った凸部を形成し、該凸部の一部に押罫を設けて構成したので、これ等の引裂舌片、押罫及び押罫線を利用することによって、容器蓋の一部を簡単かつ確実に引裂いて開口することが出来る。
【００１２】
また、引裂舌片の両端付根部には該付根部の強度を大きくするために上方に盛上った凸部を形成し、該凸部の一部には単に押罫が設けられているに過ぎないので、容器の移動、搬送等によって引裂舌片が接触してこれに外圧が掛かった場合にも、容器蓋が不用意に開口される心配がない。
【００１３】
本発明に係るプラスチック容器蓋の製造方法の発明の要旨は、一軸延伸による方向性プラスチックシートを真空成形法を用いてプラスチック容器蓋を製造する方法に於いて、前記方向性プラスチックシートを真空成形する際に、容器蓋の天井面に一軸延伸の方向に沿って一対の押罫線を設けると共に該容器蓋のリング凹溝の外周縁に該押罫線と対応して一対の押罫が設けられた凸部を設け、かつ前記方向性プラスチックシートを容器蓋のリング凹溝に沿って打抜く際に前記一対の押罫が設けられた凸部が両端付根部に位置するように引裂舌片を該リング凹溝に沿って突設して構成することを特徴としたプラスチック容器蓋の製造方法である。
【００１４】
本発明に係るプラスチック容器蓋の製造方法に於いては、前述の如く、一軸延伸による方向性プラスチックシートを真空成形法を用いて容器蓋を製造する際に、容器蓋の天井面に一軸延伸の方向に沿って一対の押罫線を設けると共に、容器蓋のリング凹溝の外周縁に押罫線と対応して一対の押罫が設けられた凸部を予め設けることが出来、一回の成形によって一対の押罫線と押罫を所定位置に同時に設けることが出来る。
【００１５】
次に、容器蓋が形成されたプラスチックシートを成形打抜する際に、前述のようにリング凹溝の外周縁に設けられた一対の押罫が設けられた凸部の相互間に引裂舌片が来るように突設して設けることが出来、これによって一回の打抜作業によって引裂舌片の両端付根部に該付根部の強度を大きくするために上方に盛上った凸部を形成し、該凸部の一部に押罫が設けられた容器蓋を成形打抜することが出来る。従って、極めて簡単に作業でプラスチック容器蓋を簡単かつ安価に大量生産することが出来る。
【００１６】
【発明の実施の形態】
図により本発明に係るプラスチック容器蓋及びその製造方法の一実施例を具体的に説明すると、図１（ａ），（ｂ）は夫々本発明に係るプラスチック容器蓋の説明図、図２（ａ），（ｂ）は図１のプラスチック容器蓋を製造する途中の半製品の説明図である。
【００１７】
図１（ａ），（ｂ）及び図２（ａ），（ｂ）に於いて、１は本発明に係るプラスチック容器蓋であって、一軸延伸による方向性プラスチックシート２を用いて構成されている。
【００１８】
前記プラスチック容器蓋１の製造に当っては、方向性プラスチックシート２を真空成形方法を用いて成形することによって、図２（ａ），（ｂ）に示す如く、方向性プラスチックシート２の下面に断面逆Ｕ形状のリング凹溝３を形成する。そして同時にこのリング凹溝３によって囲まれた容器蓋１の天井面１ａに方向性プラスチックシート２の一軸延伸の方向に沿って、リング凹溝３の近くから中心方向に一対の押罫線４を設ける。
【００１９】
かつ、前記一対の押罫線４の先端近くに、これ等と直交する押罫線５を同時に設ける。また、前記リング凹溝３の外周縁であって、かつ前記一対の押罫線４に対応する位置に一対の押罫６を同時に設ける。
【００２０】
従って、これ等のリング凹溝３、押罫線４、５及び押罫６は夫々方向性プラスチックシート２を真空成形する際に、同時に成形して図２（ａ），（ｂ）に示すようなものを構成することが出来る。このようなリング凹溝３等は一枚の幅広い方向性プラスチックシート２の左右及び前後に亘って多数のものを並列して同時に成形することが出来る（図示せず）。
【００２１】
次に、前述のように真空成形によって容器蓋１の形状が形成された方向性プラスチックシート２を成形打抜するに当っては、予め所定の形状を持った打抜型（図示せず）を用いて図２（ａ），（ｂ）に示すシート状のものをプレス加工することによって前記図１（ａ），（ｂ）に示すプラスチック容器蓋１を製造することが出来る。
【００２２】
即ち、打抜型を用いて真空成形が完了したシート材を成形打抜する際には、リング凹溝３の外周に沿って切断すると共に、前記のようにリング凹溝３の外周縁に設けられた一対の押罫６の相互間に引裂舌片７の付根部が来るように、リング凹溝３の外周の特定位置に引裂舌片７を突設させながら切断して、前記図１（ａ），（ｂ）に示すプラスチック容器蓋１を完成させる。
【００２３】
前記実施例に於いて、図１（ａ），（ｂ）及び図２（ａ），（ｂ）に示す如く、引裂舌片７の付根部には、その付根部の強度を大きくするために、上方に盛上った凸部８を形成し、この凸部８の一部に前記押罫６を設けることが出来る。
【００２４】
前述のように構成されたプラスチック容器蓋１は、リング凹溝３の外周に引裂舌片７が突設されており、かつその引裂舌片７の付根部には押罫６が設けられているので、プラスチック容器蓋１を引裂いて開口する場合には、引裂舌片７をつまんでプラスチック容器蓋１の中心方向に引上げることによって、極めて簡単かつ正確にプラスチック容器蓋１の一部を引裂くことが出来る。
【００２５】
また、前記引裂舌片７、その引裂舌片７の付根部の押罫６及び容器蓋１の天井面１ａの押罫線４は夫々方向性プラスチックシート２の一軸延伸方向に沿って設けられているので、極めてスムーズに引裂くことが出来る。
【００２６】
さらに、本発明のプラスチック容器蓋１に於いては、引裂舌片７の付根部には押罫６が設けられているので、図４に示す従来技術のように切込線５８が設けられた場合と異なり、容器を移動させたり、搬送させる際に、引裂舌片７が他の品物に接触して外圧がかかった際にも、この部分が不用意に引裂かれる心配が全くない。
【００２７】
【発明の効果】
前述の本発明に係るプラスチック容器蓋に於いては、容器蓋を一軸延伸による方向性プラスチックシートで形成し、かつ該容器蓋の天井面に周辺側から中心部に向って一軸延伸方向に沿って一対の押罫線を設け、かつこれ等の押罫線に対応する容器蓋の外周縁に引裂舌片を突設し、さらにこの引裂舌片の両端付根部に該付根部の強度を大きくするために上方に盛上った凸部を形成し、該凸部の一部に押罫を設けて構成したので、これ等の引裂舌片、押罫及び押罫線を利用することによって、容器蓋の一部を簡単かつ確実に引裂いて開口することが出来る効果を有している。また、引裂舌片の両端付根部には該付根部の強度を大きくするために上方に盛上った凸部を形成し、該凸部の一部には単に押罫が設けられているに過ぎないので、容器の移動、搬送等によって引裂舌片が接触してこれに外圧が掛かった場合にも、容器蓋が不用意に開口される心配が全くない効果も有している。
【００２８】
本発明に係るプラスチック容器蓋の製造方法に於いては、前述の如く、一軸延伸による方向性プラスチックシートを真空成形法を用いて容器蓋を製造する際に、容器蓋の天井面に一軸延伸の方向に沿って一対の押罫線を設けると共に、容器蓋のリング凹溝の外周縁に押罫線と対応して一対の押罫が設けられた凸部を予め設けることが出来、一回の成形によって一対の押罫線と押罫を所定位置に同時に設けることが出来る等の多大な効果を有している。
【００２９】
次に、容器蓋が形成されたプラスチックシートを打抜する際に、前述のようにリング凹溝の外周縁に設けられた一対の押罫が設けられた凸部の相互間に引裂舌片が来るように突設して設けることが出来、これによって一回の打抜作業によって引裂舌片の両端付根部に該付根部の強度を大きくするために上方に盛上った凸部を形成し、該凸部の一部に押罫が設けられた容器蓋を成形打抜することが出来る。従って、極めて簡単に作業でプラスチック容器蓋を簡単かつ安価に大量生産することが出来る効果を有している。
【図面の簡単な説明】
【図１】  図１（ａ），（ｂ）は夫々本発明に係るプラスチック容器蓋の説明図である。
【図２】  図２（ａ），（ｂ）は図１のプラスチック容器蓋を製造する途中の半製品の説明図である。
【図３】  図３（ａ），（ｂ）は夫々従来例のプラスチック容器蓋の斜視説明図である。
【図４】  他の従来例のプラスチック容器蓋の斜視説明図である。
【符号の説明】
１ …プラスチック容器蓋
１ａ  …１の天井面
２ …方向性プラスチックシート
３ …リング凹溝
４ …押罫線
５ …押罫線
６ …押罫
７ …引裂舌片
８ …引裂舌片７の凸部
５１ …プラスチック容器蓋
５１ａ…５１の天井面
５２ …プラスチック容器蓋
５２ａ…５２の天井面
５３ …プラスチック容器蓋
５４ …リング凹溝
５５ …押罫線
５６ …押罫線
５７  …引裂舌
５８  …切込線
【図１】
0004684451.tif 000002
【図２】
0004684451.tif 000003
【図３】
0004684451.tif 000004
【図４】
0004684451.tif 000005